(57)【要約】      （修正有）【課題】乾電池でも長時間使用でき、無線局開設の免許も不要で、リモコンスイッチを床上、手元など使用しやすい場所に置くことができる無線式水栓開閉装置を提供する。【解決手段】少なくとも１本以上の配管から供給される流体を、コックの操作により混合して吐水管から吐出する水栓本体と、配管に取り付けられ流路を開閉する電磁弁と、電磁弁を開閉制御する電磁弁制御部と、制御部に電磁弁の開閉信号を伝達する受信器と、受信機に周波数が３１５ＭＨｚ帯である特定小電力無線で信号を送信するリモコンスイッチからなり、リモコンスイッチは水栓本体を使用するに際して最適な位置に設置される。【選択図】図４
0003206687.tif 000002
【実用新案登録請求の範囲】
【請求項１】
少なくとも１本以上の配管から供給される流体を、コックの操作により混合して吐水管から吐出する水栓本体と、前記配管に取り付けられ流路を開閉する電磁弁と、該電磁弁を開閉制御する電磁弁制御部と、該制御部に電磁弁の開閉信号を伝達する受信器と、該受信機に特定小電力無線で信号を送信するリモコンスイッチ からなり、該リモコンスイッチは水栓本体を使用するに際して最適な位置に設置されている無線式水栓開閉装置。
【請求項２】
前記特定小電力無線の周波数が３１５ＭＨｚ帯であることを特徴とする請求項１に記載の無線式水栓開閉装置。
【請求項３】
前記リモコンスイッチが、足で踏む度に単一の信号を送信する床上に置かれたフットスイッチであり、前記電磁弁制御部は、定常状態で前記流路を閉とし、前記信号を受信する毎に前記流路の開閉を繰り返すように前記電磁弁を制御することを特徴とする請求項２に記載の無線式水栓開閉装置。
【考案の詳細な説明】
【技術分野】
【０００１】
本考案は、洗面台や流し台等に既に取り付けられている水栓を、フットスイッチと特定小電力無線による遠隔操作で吐出，止水を行えるようにした無線式水栓に関する。
【背景技術】
【０００２】
従来、遠隔操作により開閉を行う水栓として公知のものに特開２０００−１６０６１５号公報の無線式水栓がある。該発明は、配管から供給される流体をハンド ルの操作により吐水管から吐出する水栓本体と、前記配管に取り付けられ流路を開閉する電磁弁と、該電磁弁に対し開閉信号を伝達する制御部と、該制御部に設 けた受信器に無線で信号を送信するリモコンスイッチを備えてなり、該リモコンスイッチは水栓本体周囲の適宜の位置に着脱可能に取り付けたものである。
【先行技術文献】
【特許文献】
【０００３】
【特許文献１】特開２０００−１６０６１５号公報
【考案の概要】
【考案が解決しようとする課題】
【０００４】
上記発明においては、水栓の開閉信号を従来の無線装置を用いて行なうため送信電力が大きく、リモコンスイッチ用の商用電源を必要とする、あるいは無線局の 開設のための免許が必要となるなどの問題があった。さらには、水栓の開閉のためのリモコンスイッチの設置場所が電源コードのために制約を受けるという問題 があった。
【課題を解決するための手段】
【０００５】
本考案は、配管から供給される流体をコックの開閉により吐水管から吐出する水栓本体と、前記配管に取り付けられ流路を開閉する電磁弁と、該電磁弁に対し開 閉信号を伝達する制御部および電力を供給する電源部と、該制御部に設けた受信器に３１５ＭＨｚの特定小電力無線で信号を送信するリモコンスイッチを備えて なり、該リモコンスイッチは流しあるいは洗面台周囲の適当な位置に置かれたものである。
すなわち、本考案は少なくとも１本以上の配管から供給される流体を、コックの操作により混合して吐水管から吐出する水栓本体と、前記配管に取り付けられ流路を開閉する電磁弁と、該電磁弁を開閉制御する電磁弁制御部と、該制御部に電磁弁の開閉信号を伝達する受信器と、該受信機に特定小電力無線で信号を送信するリモコンスイッチ からなり、該リモコンスイッチは水栓本体を使用するに際して最適な位置に設置されている無線式水栓開閉装置である。
そして、この特定小電力無線の周波数は３１５ＭＨｚ帯であることが好ましい。
さらにこの無線式水栓開閉装置は、リモコンスイッチが、足で踏む度に単一の信号を送信する床上に置かれたフットスイッチであり、電磁弁制御部は、定常状態で流路を閉とし、フットスイッチからの信号を受信する毎に流路の開閉を繰り返すように電磁弁を制御する構成とすることができる。
【考案の効果】
【０００６】
本考案は、水栓の開閉信号を３１５ＭＨｚの特定小電力無線によって送信するため、乾電池でも長時間使用でき、無線局開設の免許も不要である。また商用電源用のコンセントが不要なため、リモコンスイッチは床上、手元など使用しやすい場所に置くことができる。
【図面の簡単な説明】
【０００７】
【図１】図１は、本考案の実施例の水栓部の図である。
【図２】図２は、本考案の実施例のリモコンスイッチの図である。
【図３】図３は、本考案の実施例のコントローラの図である。
【図４】図４は、本考案の実施例の無線式水栓開閉装置の構成図である。
【考案を実施するための形態】
【０００８】
以下、本考案の実施の形態を図に基づいて詳細に説明する。
【実施例】
【０００９】
本考案の無線式水栓開閉装置は、図１に示す水栓部、図２に示すリモコンスイッチ、および図３に示すコントローラからなる。また、全体の構成は図４に示す通りである。
【００１０】
水栓部は洗面台又は流し台に取り付けられており、洗面台Ａ内部に収容されている水配管２及び湯配管１から水栓部に供給される水と湯は、それぞれコック１４ および１３の操作によって流量が調節されるとともに、水と湯の混合コック１５の操作によって温度が調節されて吐水管１２から外部へ供給されるようになって いる。
【００１１】
本考案において、前記水配管２及び湯配管１は、給水源及び給湯源とそれぞれのコック１３および１４の間に、水、湯の流路を開閉可能な電磁弁３および４をそれぞれ内蔵しており、コック１３、１４および混合コック１５の操作により予め吐出量および湯温を設定しておくことにより、この電磁弁３と４の開閉のみによって吐水、止水の切替が可能である。該電磁弁３および４の開閉は、適当な場所に置かれた図２のリモコンスイッチ１０からの特定小電力無線による遠 隔操作で行われる。
【００１２】
前記リモコンスイッチ１０は、水栓の使用状況に適した位置に置いておけばよく、手が塞がっている場合に足で操作できるように洗面台や流し台前の床上に置いてフットスイッチとして用いることも可能である。
【００１３】
図３に示す電磁弁制御部および受信機からなるコントローラ９は洗面台または流し台の内部に設置される。該コントローラは主として電磁弁３および４の駆動に必要な電源供給のため図示しないコンセントに差し込まれるＡＣアダプタ付きの電源コードを備えている。リモコンスイッチ１０から特定小電力無線で発信される吐水、止水信号は、コントローラ９内の受信機で受信され、リレーを介して電磁弁３および４を開閉させる。
【００１４】
リモコンスイッチ１０の中心部にはボタン１１が備えられており、該ボタンを押す、あるいは足で踏むことにより内蔵の発信機から３１５ＭＨｚ帯の信号が約１００ｍ秒の間送信される。送信された信号は、流し台あるいは洗面台内部に設置されたコントローラ９内の受信機で受信され、該受信機に接続されたリレーを介して電磁弁３および４を開弁させ、水が吐出される。再度前記ボタンを押す、あるいは足で踏むと信号が発信機から受信機に伝送され、電磁弁３および４を閉弁させ、止水される。以後リモコンスイッチ１０から信号が送信される毎に電磁弁３および４は開、閉の動作を繰り返す。なお前記のように電磁弁３および４は常に開、閉を同じタイミングで行うので、予め設定された吐出量および湯温と異なる水が吐出されることはない。本考案においては、電磁弁の種類は問わないがＤＣ駆動で常時閉のものが適している。
【００１５】
前記特定小電力無線の発信機においては、送信電力が０．２５ｍＷ以下と微小なため、３Ｖ、２２０ｍＡｈのコイン型リチウム電池であれば、約２６００回の発 信が可能であり、１日７回程度の操作であれば約１年間電池を交換せずに使用できる。したがって、従来の無線式水栓開閉装置においては、発信機の消費電力が大きいため、リモコンスイッチにも電源コードが必要とされたが、本考案の無線式水栓開閉装置においては、電池で長期間使用できることから、電源コード が不要であり、リモコンスイッチをフットスイッチとして最適な位置に置くことが可能である。
【００１６】
上記実施例は、熱水配管と水の配管の２系統の流体を混合、吐出する無線式水栓開閉装置に関するものであるが、熱水のみあるいは水のみの１系統の流体の場合にも利用でき、同様の効果を得ることができことは言うまでもない。
【産業上の利用可能性】
【００１７】
本考案の無線式水栓開閉装置は、洗面台や流し台等に既に取り付けられている水栓を、フットスイッチと特定小電力無線による遠隔操作で吐出、止水を行えるようにした無線式水栓として利用することができる。
【符号の説明】
【００１８】
１  熱水の配管
２  水の配管
３，４  電磁弁
５，６  コントローラと電磁弁の接続端子（電磁弁側）
７  コントローラと電磁弁の接続端子（コントローラ側）
８  コントローラ
９  コントローラの電源コード
１０  フットスイッチ
１１  吐水、止水ボタン
１２  吐水管
１３  熱水用コック
１４  水用コック
１５  水と湯の混合コック
【図１】
0003206687.tif 000003
【図２】
0003206687.tif 000004
【図３】
0003206687.tif 000005
【図４】
0003206687.tif 000006